(57)【特許請求の範囲】
【請求項１】
特殊ダウンリンクサブフレームで伝送されるパイロットの設定情報を端末に対し確定することと、
前記設定情報を前記端末に送信することと
を含むパイロット設定方法であって、
前記設定情報を前記端末に送信することは、
通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信することを含み、
前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されており、
前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されているパイロット設定方法。
【請求項２】
前記パイロットの設定情報は、前記パイロットのインデックスを含み、
すべてまたは一部のパイロットのインデックスのうち、各パイロットのインデックスは、特殊ダウンリンクサブフレームでパイロットを伝送するための１組のリソースエレメントにそれぞれ対応し、
各パイロットのインデックスに対応するリソースエレメントは、それぞれ異なる請求項１に記載の方法。
【請求項３】
特殊ダウンリンクサブフレームで伝送されるパイロットの設定情報を端末に対し確定することは、
前記パイロットが通常ダウンリンクサブフレームと特殊ダウンリンクサブフレームの両方で伝送されることを指示するパイロットの第１設定情報を端末に対し確定すること、
または、
前記パイロットが特殊ダウンリンクサブフレームで伝送されるものの、通常ダウンリンクサブフレームで伝送されないことを指示するパイロットの第２設定情報を端末に対し確定することを含む請求項１または２に記載の方法。
【請求項４】
前記設定情報を前記端末に送信することは、
第１設定情報または第２設定情報を含む端末に対し確定する設定情報が付随されている第３パイロット設定シグナリングを前記端末に送信することを含む請求項３に記載の方法。
【請求項５】
パイロットの設定情報を受信することと、
前記設定情報に基づいて、特殊ダウンリンクサブフレームで伝送されるパイロットの設定を確定することと
を含むパイロット設定方法であって、
パイロットの設定情報を受信することは、
通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信することを含み、
第１パイロット設定シグナリングとは異なる第２パイロット設定シグナリングを受信することは、
パイロット設定シグナリングを受信することと、
受信したパイロット設定シグナリングに付随されている指示情報に基づいて、前記パイロット設定シグナリングが第１パイロット設定シグナリングとは異なる第２パイロット設定シグナリングであると確定することとを含み、
ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されており、
前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されているパイロット設定方法。
【請求項６】
前記パイロットの設定情報は、前記パイロットのインデックスを含み、
すべてまたは一部のパイロットのインデックスのうち、各パイロットのインデックスは、特殊ダウンリンクサブフレームでパイロットを伝送するための１組のリソースエレメントにそれぞれ対応し、
各パイロットのインデックスに対応するリソースエレメントは、それぞれ異なる請求項５に記載の方法。
【請求項７】
パイロットの設定情報を受信することは、
自端末に対し確定するパイロットの設定情報が付随されている第３パイロット設定シグナリングを受信することを含み、
前記自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの、通常ダウンリンクサブフレームで伝送されないことを指示する第２設定情報を含む請求項６に記載の方法。
【請求項８】
前記設定情報に基づいて、特殊ダウンリンクサブフレームで伝送されるパイロットの設定を確定することは、
第１設定情報である場合、前記第１設定情報に付随されているパイロットのインデックスに対応する、特殊ダウンリンクサブフレームでパイロットを伝送するためのリソースエレメントを検索し、検索できなければ、前記第１設定情報を無効と確定し、または、通常ダウンリンクサブフレームで伝送されるパイロットの設定を有効、特殊ダウンリンクサブフレームで伝送されるパイロットの設定を無効と確定すること、および、
第２設定情報である場合、前記第２設定情報に付随されているパイロットのインデックスに対応する、特殊ダウンリンクサブフレームでパイロットを伝送するためのリソースエレメントを検索し、検索できなければ、前記第２設定情報を無効と確定することを含む請求項７に記載の方法。
【請求項９】
バスアーキテクチャと通常処理を管理するプロセッサと、
プロセッサによる操作実行に用いられるデータの格納ができるメモリと、
データを送受信するためのトランシーバとを含むパイロット設定装置において、
プロセッサが、メモリからプログラムを読み取って、
特殊ダウンリンクサブフレームで伝送されるパイロットの設定情報を端末に対し確定するプロセスと、
前記設定情報を前記端末に送信するプロセスとを実行し、
前記設定情報を前記端末に送信することは、
通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信することを含み、
前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されており、
前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている基地局側のパイロット設定装置。
【請求項１０】
バスアーキテクチャと通常処理を管理するプロセッサと、
プロセッサによる操作実行に用いられるデータの格納ができるメモリと、
データを送受信するためのトランシーバとを含むパイロット設定装置において、
プロセッサが、メモリからプログラムを読み取って、
パイロットの設定情報を受信するプロセスと、
前記設定情報に基づいて、特殊ダウンリンクサブフレームで伝送されるパイロットの設定を確定するプロセスとを実行し、
パイロットの設定情報を受信することは、
通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信することを含み、
第１パイロット設定シグナリングとは異なる第２パイロット設定シグナリングを受信することは、
パイロット設定シグナリングを受信することと、
受信したパイロット設定シグナリングに付随されている指示情報に基づいて、前記パイロット設定シグナリングが第１パイロット設定シグナリングとは異なる第２パイロット設定シグナリングであると確定することとを含み、
ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されており、
前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている端末側のパイロット設定装置。
【発明の詳細な説明】
【技術分野】
【０００１】
本願は、２０１５年９月２９日に中国特許庁に提出された中国特許出願２０１５１０６３４７５１．３の優先権を主張し、その全ての内容が援用により本願に取り込まれる。
【０００２】
本開示は、通信技術分野に係り、特にパイロット設定方法および装置に関する。
【背景技術】
【０００３】
現在、基地局から端末に対し設定するパイロットは、通常ダウンリンクサブフレームで伝送される。例えば、Ｒｅｌ−１０バージョンのＬＴＥ（Ｌｏｎｇ  Ｔｅｒｍ  Ｅｖｏｌｕｔｉｏｎ）システムにおいて、通常ダウンリンクサブフレームで伝送される測定パイロットＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）が導入されている。測定パイロットは、２ポートまたは４ポートまたは８ポートに対応するように設定することができる。
【０００４】
現在の標準では、特殊ダウンリンクサブフレーム、例えばダウンリンクパイロットタイムスロットＤｗＰＴＳ（Ｄｏｗｎｌｉｎｋ  Ｐｉｌｏｔ  Ｔｉｍｅ  Ｓｌｏｔ）でのパイロット伝送に関する設定がまだない。
【発明の概要】
【発明が解決しようとする課題】
【０００５】
本開示の目的は、パイロット設定方法および装置を提供して、特殊ダウンリンクサブフレームでパイロットを伝送する設定を実現することである。
【課題を解決するための手段】
【０００６】
パイロット設定方法において、特殊ダウンリンクサブフレームで伝送されるパイロットの設定情報を端末に対し確定することと、前記設定情報を前記端末に送信することとを含む。
【０００７】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【０００８】
上記いずれの方法の実施例に基づいて、選択可能に、前記設定情報を前記端末に送信する実現方式の１つとして、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信することである。
【０００９】
選択可能に、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【００１０】
選択可能に、前記設定情報を前記端末に送信する別の実現方式として、前記パイロットが通常ダウンリンクサブフレームと特殊ダウンリンクサブフレームの両方で伝送されることを指示するパイロットの第１設定情報を端末に対し確定すること、または、前記パイロットが特殊ダウンリンクサブフレームで伝送されるものの、通常ダウンリンクサブフレームで伝送されないことを指示するパイロットの第２設定情報を端末に対し確定することである。
【００１１】
選択可能に、前記設定情報を前記端末に送信することは、第３パイロット設定シグナリングを前記端末に送信することを含む。前記第３パイロット設定シグナリングには、端末に対し確定する設定情報が付随されている。前記端末に対し確定する設定情報は、第１設定情報または第２設定情報を含む。
【００１２】
パイロット設定方法において、パイロットの設定情報を受信することと、前記設定情報に基づいて、特殊ダウンリンクサブフレームで伝送されるパイロットの設定を確定することとを含む。
【００１３】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【００１４】
上記いずれの方法の実施例において、選択可能に、パイロットの設定情報を受信する実現方式の１つとして、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信することである。
【００１５】
選択可能に、第１パイロット設定シグナリングとは異なる第２パイロット設定シグナリングを受信することは、パイロット設定シグナリングを受信することと、受信したパイロット設定シグナリングに付随されている指示情報に基づいて、前記パイロット設定シグナリングが第１パイロット設定シグナリングとは異なる第２パイロット設定シグナリングであると確定することとを含む。ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【００１６】
選択可能に、パイロットの設定情報を受信する別の実現方式として、自端末に対し確定するパイロットの設定情報が付随されている第３パイロット設定シグナリングを受信することである。前記自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの、通常ダウンリンクサブフレームで伝送されないことを指示する第２設定情報を含む。
【００１７】
選択可能に、前記設定情報に基づいて、特殊ダウンリンクサブフレームで伝送されるパイロットの設定を確定することは、第１設定情報である場合、前記第１設定情報に付随されているパイロットのインデックスに対応する、特殊ダウンリンクサブフレームでパイロットを伝送するためのリソースエレメントを検索し、検索できなければ、前記第１設定情報を無効と確定する。または、通常ダウンリンクサブフレームで伝送されるパイロットの設定を有効、特殊ダウンリンクサブフレームで伝送されるパイロットの設定を無効と確定すること、および、第２設定情報である場合、前記第２設定情報に付随されているパイロットのインデックスに対応する、特殊ダウンリンクサブフレームでパイロットを伝送するためのリソースエレメントを検索し、検索できなければ、前記第２設定情報を無効と確定することを含む。
【００１８】
方法と同様の発明思想に基づいて、本開示の実施例は、特殊ダウンリンクサブフレームで伝送されるパイロットの設定情報を端末に対し確定するためのパイロット設定確定モジュールと、前記設定情報を前記端末に送信するための設定情報送信モジュールとを含むパイロット設定装置を提供する。
【００１９】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【００２０】
上記いずれの装置の実施例に基づいて、選択可能に、一態様として、前記設定情報送信モジュールは、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信するために用いられる。
【００２１】
選択可能に、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【００２２】
選択可能に、別の態様として、前記パイロット設定確定モジュールは、前記パイロットが通常ダウンリンクサブフレームと特殊ダウンリンクサブフレームの両方で伝送されることを指示するパイロットの第１設定情報を端末に対し確定すること、または、前記パイロットが特殊ダウンリンクサブフレームで伝送されるものの通常ダウンリンクサブフレームで伝送されないことを指示するパイロットの第２設定情報を端末に対し確定するために用いられる。
【００２３】
選択可能に、前記設定情報送信モジュールは、第１設定情報または第２設定情報を含む端末に対し確定する設定情報が付随されている第３パイロット設定シグナリングを前記端末に送信するために用いられる。
【００２４】
方法と同様の発明思想に基づいて、本開示の実施例は、プロセッサと、プロセッサによる操作実行に用いられるデータを格納するためのメモリと、プロセッサによる制御でデータを送受信するためのトランシーバとを含む基地局を提供し、プロセッサが、メモリからプログラムを読み取って、特殊ダウンリンクサブフレームで伝送されるパイロットの設定情報を端末に対し確定するプロセスと、トランシーバを介して前記設定情報を前記端末に送信するプロセスとを実行する。
【００２５】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【００２６】
上記いずれの基地局の実施例に基づいて、選択可能に、一態様として、プロセッサが、メモリからプログラムを読み取って、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信するプロセスを実行する。
【００２７】
選択可能に、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【００２８】
選択可能に、別の態様として、プロセッサが、メモリからプログラムを読み取って、前記パイロットが通常ダウンリンクサブフレームと特殊ダウンリンクサブフレームの両方で伝送されることを指示するパイロットの第１設定情報を端末に対し確定するプロセス、または、前記パイロットが特殊ダウンリンクサブフレームで伝送されるものの、通常ダウンリンクサブフレームで伝送されないことを指示するパイロットの第２設定情報を端末に対し確定するプロセスを実行する。
【００２９】
選択可能に、プロセッサが、メモリからプログラムを読み取って、第３パイロット設定シグナリングを前記端末に送信するプロセスを実行する。前記第３パイロット設定シグナリングには、端末に対し確定する設定情報が付随されている。前記端末に対し確定する設定情報は、第１設定情報または第２設定情報を含む。
【００３０】
方法と同様の発明思想に基づいて、本開示の実施例は、パイロットの設定情報を受信するための設定情報受信モジュールと、前記設定情報に基づいて、特殊ダウンリンクサブフレームで伝送されるパイロットの設定を確定するためのパイロット設定確定モジュールとを含むパイロット設定装置を提供する。
【００３１】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【００３２】
上記いずれの装置実施例に基づいて、一態様として、選択可能に、前記設定情報受信モジュールは、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信するために用いられる。
【００３３】
選択可能に、前記設定情報受信モジュールは、パイロット設定シグナリングを受信することと、受信したパイロット設定シグナリングに付随されている指示情報に基づいて、前記パイロット設定シグナリングが第１パイロット設定シグナリングとは異なる第２パイロット設定シグナリングであると確定するために用いられる。ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【００３４】
別の態様として、選択可能に、前記設定情報受信モジュールは、自端末に対し確定するパイロットの設定情報が付随されている第３パイロット設定シグナリングを受信するために用いられる。前記自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの、通常ダウンリンクサブフレームで伝送されないことを指示する第２設定情報を含む。
【００３５】
選択可能に、前記パイロット設定確定モジュールは、第１設定情報である場合、前記第１設定情報に付随されているパイロットのインデックスに対応する、特殊ダウンリンクサブフレームでパイロットを伝送するためのリソースエレメントを検索し、検索できなければ、前記第１設定情報を無効と確定する。または、通常ダウンリンクサブフレームで伝送されるパイロットの設定を有効、特殊ダウンリンクサブフレームで伝送されるパイロットの設定を無効と確定すること、および、第２設定情報である場合、前記第２設定情報に付随されているパイロットのインデックスに対応する、特殊ダウンリンクサブフレームでパイロットを伝送するためのリソースエレメントを検索し、検索できなければ、前記第２設定情報を無効と確定するために用いられる。
【００３６】
方法と同様の発明思想に基づいて、本開示の実施例は、プロセッサと、プロセッサによる操作実行に用いられるデータを格納するためのメモリと、プロセッサによる制御でデータを送受信するためのトランシーバとを含む端末を提供し、プロセッサが、メモリからプログラムを読み取って、トランシーバを介してパイロットの設定情報を受信するプロセスと、前記設定情報に基づいて、特殊ダウンリンクサブフレームで伝送されるパイロットの設定を確定するプロセスとを実行する。
【００３７】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【００３８】
上記いずれの端末の実施例において、一態様として、選択可能に、プロセッサが、メモリからプログラムを読み取って、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信するプロセスを実行する。
【００３９】
選択可能に、プロセッサが、メモリからプログラムを読み取って、パイロット設定シグナリングを受信するプロセスと、受信したパイロット設定シグナリングに付随されている指示情報に基づいて、前記パイロット設定シグナリングが第１パイロット設定シグナリングとは異なる第２パイロット設定シグナリングであると確定するプロセスを実行する。ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【００４０】
別の態様として、選択可能に、プロセッサが、メモリからプログラムを読み取って、自端末に対し確定するパイロットの設定情報が付随されている第３パイロット設定シグナリングを受信するプロセスを実行する。前記自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの、通常ダウンリンクサブフレームで伝送されないことを指示する第２設定情報を含む。
【００４１】
選択可能に、プロセッサが、メモリからプログラムを読み取って、第１設定情報である場合、前記第１設定情報に付随されているパイロットのインデックスに対応する、特殊ダウンリンクサブフレームでパイロットを伝送するためのリソースエレメントを検索し、検索できなければ、前記第１設定情報を無効と確定する。または、通常ダウンリンクサブフレームで伝送されるパイロットの設定を有効、特殊ダウンリンクサブフレームで伝送されるパイロットの設定を無効と確定するプロセス、および、第２設定情報である場合、前記第２設定情報に付随されているパイロットのインデックスに対応する、特殊ダウンリンクサブフレームでパイロットを伝送するためのリソースエレメントを検索し、検索できなければ、前記第２設定情報を無効と確定するプロセスを実行する。
【発明の効果】
【００４２】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【図面の簡単な説明】
【００４３】
本願の実施例や従来技術の技術手段をより明確に説明するために、以下、実施例や従来技術の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。以下の図面は、本願の趣旨を示すことに重点を置いており、実際のサイズに拘って等比例に縮小／拡大して作成したものではない。
【００４４】
【図１】本開示の１つの実施例による方法のフローチャートである。
【図２】本開示の別の実施例による方法のフローチャートである。
【図３ａ】本開示の実施例による、通常ダウンリンクサブフレームで伝送されるＣＳＩ−ＲＳのパイロットパターンである。
【図３ｂ】図３ａと同様である。
【図３ｃ】図３ａと同様である。
【図４】本開示の実施例による、長さが１１、１２個のシンボルであるＤｗＰＴＳで伝送されるＣＳＩ−ＲＳのパイロットパターンである。
【図５】本開示の実施例による、長さが９、１０個のシンボルであるＤｗＰＴＳで伝送されるＣＳＩ−ＲＳのパイロットパターンである。
【図６】本開示の１つの実施例による装置の概略図である。
【図７】本開示の実施例による基地局の概略構造図である。
【図８】本開示の別の実施例による装置の概略図である。
【図９】本開示の実施例による端末の概略構造図である。
【発明を実施するための形態】
【００４５】
本開示の実施例の目的、技術手段及び利点をより明確にするために、以下、本開示の実施例の図面を参照しながら、本開示の実施例の技術手段を明確且つ完全に記載する。明らかに、記載する実施例は、本開示の実施例の一部であり、全てではない。記載する本開示の実施例に基づき、当業者が為しえる全ての実施例は、いずれも本開示の保護範囲に属するものである。
【００４６】
図１に示す本開示の実施例によるパイロット設定方法は、基地局側に適用し、具体的に以下を含む。
【００４７】
ステップ１００において、特殊ダウンリンクサブフレームで伝送されるパイロットの設定情報を端末に対し確定する。
【００４８】
本開示の実施例において、特殊ダウンリンクサブフレームは、ＤｗＰＴＳであってもよいが、それに限定されない。
【００４９】
本開示の実施例において、パイロットは、ＣＳＩ−ＲＳであってもよいが、本開示ではこれについて限定しない。
【００５０】
ステップ１１０において、前記設定情報を前記端末に送信する。
【００５１】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【００５２】
パイロットの設定情報は、パイロットのインデックス、パイロットの伝送周期、パイロットのサブフレームオフセット、パイロットのポートなどを含む。それに対応して、ステップ１１０で確定するパイロットの設定情報は、少なくともパイロットのインデックスを含む。すべてまたは一部のパイロットのインデックスのうち、各パイロットのインデックスは、特殊ダウンリンクサブフレームでパイロットを伝送するための１組のリソースエレメント（ＲＥ）にそれぞれ対応する。各パイロットのインデックスに対応するリソースエレメントは、それぞれ異なる。
【００５３】
本開示の実施例において、特殊ダウンリンクサブフレームで伝送されるパイロットの各インデックスに対応するリソースエレメントは、通常ダウンリンクサブフレームで伝送されるパイロットのインデックスに対応するリソースエレメントとは、同一であってもよく異なってもよいが、本開示ではこれについて限定しない。
【００５４】
選択可能に、ステップ１００で確定するパイロットの設定情報は、パイロットのポート、伝送周期および／またはパイロットのサブフレームオフセットをさらに含む。パイロットのポート、伝送周期および／またはパイロットのサブフレームオフセットが一定であるか今回の設定において変化がないと、ステップ１００でパイロットのインデックスのみを確定してもよい。
【００５５】
上記いずれの方法の実施例に基づいて、特殊ダウンリンクサブフレームで伝送されるパイロットの設定情報と、通常ダウンリンクサブフレームで伝送されるパイロットの設定情報とは、異なるシグナリングで伝送されてもよく、同一のシグナリングで伝送されてもよい。それに対応して、ステップ１１０の実現方式は、それぞれ以下である。
【００５６】
ステップ１１０の実現方式１：通常ダウンリンクサブフレームで伝送されるパイロットの設定情報が付随されている第１パイロット設定シグナリングとは異なり、特殊ダウンリンクサブフレームで伝送されるパイロットの設定情報が付随されている第２パイロット設定シグナリングを前記端末に送信する。
【００５７】
具体的に実現するプロセスにおいて、１つの端末に対し、通常ダウンリンクサブフレームで伝送されるパイロットを設定してもよく、特殊ダウンリンクサブフレームで伝送されるパイロットを設定してもよく、しかも、通常ダウンリンクサブフレームで伝送されるパイロットの設定情報を第１パイロット設定シグナリングで送信し、特殊ダウンリンクサブフレームで伝送されるパイロットの設定情報を第２パイロット設定シグナリングで送信する。ここで、通常ダウンリンクサブフレームで伝送されるパイロットの伝送周期と、特殊ダウンリンクサブフレームで伝送されるパイロットの伝送周期とは、同一であってもよく異なってもよく、通常ダウンリンクサブフレームで伝送されるパイロットのサブフレームオフセットと、特殊ダウンリンクサブフレームで伝送されるパイロットのサブフレームオフセットとは、同一であってもよく異なってもよい。１つの端末に対し、通常ダウンリンクサブフレームで伝送されるパイロットのみを設定し、通常ダウンリンクサブフレームで伝送されるパイロットの設定情報を第１パイロット設定シグナリングで送信するのもよく、特殊ダウンリンクサブフレームで伝送されるパイロットのみを設定し、特殊ダウンリンクサブフレームで伝送されるパイロットの設定情報を第２パイロット設定シグナリングで送信するのもよい。
【００５８】
上記ステップ１１０の実現方式１に基づいて、受信したパイロット設定シグナリングが第１パイロット設定シグナリングであるか第２パイロット設定シグナリングであるかの端末による識別を可能にするために、選択可能な実現方式として、第２パイロット設定シグナリングには、特殊ダウンリンクサブフレームで伝送されるパイロットの設定情報に対応するパイロットを特殊ダウンリンクサブフレームで伝送することを指示するための指示情報がさらに付随されている。第１パイロット設定シグナリングには、通常ダウンリンクサブフレームで伝送されるパイロットの設定情報に対応するパイロットを通常ダウンリンクサブフレームで伝送することを指示するための指示情報がさらに付随されている。
【００５９】
なお、受信したパイロット設定シグナリングが第１パイロット設定シグナリングであるか第２パイロット設定シグナリングであるかの端末による識別は、他の方式で実現されてもよく、本開示ではこれについて限定しない。
【００６０】
ステップ１１０の実現方式２：第３パイロット設定シグナリングを前記端末に送信する。ここで、第３パイロット設定シグナリングには、端末に対し確定する設定情報が付随されている。当該端末に対し確定する設定情報は、第１設定情報または第２設定情報を含む。
【００６１】
当該設定情報は、第３設定情報をさらに含んでもよい。すなわち、第１設定情報、第２設定情報、第３設定情報のいずれも、第３パイロット設定シグナリングで伝送される。
【００６２】
ここで、第１設定情報は、パイロットが通常ダウンリンクサブフレームと特殊ダウンリンクサブフレームの両方で伝送されることを指示する。第２設定情報は、パイロットが特殊ダウンリンクサブフレームで伝送されるものの、通常ダウンリンクサブフレームで伝送されないことを指示する。すなわち、従来技術のフレーム構造に関して言えば、第２設定情報は、特殊ダウンリンクサブフレームでのみパイロットを伝送することを指示する。第３設定情報は、パイロットが通常ダウンリンクサブフレームで伝送されるものの、特殊ダウンリンクサブフレームで伝送されないことを指示する。すなわち、従来技術のフレーム構造に関して言えば、第３設定情報は、通常ダウンリンクサブフレームでのみパイロットを伝送することを指示する。
【００６３】
なお、本開示の実施例において、パイロット設定シグナリングについて「第１」、「第２」、「第３」を付けて記載しているが、優先順や時系列などを示すのではなく、単に異なる種類のパイロット設定シグナリングを区別するために用いられる。設定情報について「第１」、「第２」、「第３」を付けて記載しているが、優先順や時系列などを示すのではなく、単にパイロットを伝送するダウンリンクサブフレームのタイプを区別するために用いられる。
【００６４】
具体的に実現するプロセスにおいて、パイロットを端末に対し設定することは、具体的に、パイロットの伝送周期および／またはサブフレームオフセットを調整して、パイロットをどのタイプのダウンリンクサブフレームで伝送するかを制御する。それに対応して、上記ステップ１００において、具体的にパイロットの第１設定情報を端末に対し確定する。すなわち、通常ダウンリンクサブフレームと特殊ダウンリンクサブフレームの両方で伝送されるパイロットを設定する。具体的に、パイロットの伝送周期および／またはサブフレームオフセットを設定することによって、パイロットをある周期内に通常ダウンリンクサブフレームで伝送し、別の周期内に特殊ダウンリンクサブフレームで伝送する。または、上記ステップ１００において、具体的にパイロットの第２設定情報を端末に対し確定する。すなわち、特殊ダウンリンクサブフレームでのみ伝送されるパイロットを設定する。具体的に、パイロットの伝送周期および／またはサブフレームオフセットを設定することによって、すべての周期内にパイロットを特殊ダウンリンクサブフレームで伝送する。もちろん、パイロットの第３設定情報を端末に対し確定してもよい。すなわち、通常ダウンリンクサブフレームでのみ伝送されるパイロットを設定する。
【００６５】
図２に示す本開示の実施例によるパイロット設定方法は、端末側に適用し、具体的に以下を含む。
【００６６】
ステップ２００において、パイロットの設定情報を受信する。
【００６７】
ステップ２１０において、前記設定情報に基づいて、特殊ダウンリンクサブフレームで伝送されるパイロットの設定を確定する。
【００６８】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【００６９】
ここで、パイロットの設定情報に関する解釈は、上記の実施例の記載に参照されたく、繰り返して記載しない。
【００７０】
上記いずれの方法の実施例に基づいて、選択可能に、特殊ダウンリンクサブフレームで伝送されるパイロットの設定情報と、通常ダウンリンクサブフレームで伝送されるパイロットの設定情報とは、異なるシグナリングで伝送されてもよく、同一のシグナリングで伝送されてもよい。それに対応して、ステップ２００の実現方式は、それぞれ以下である。
【００７１】
ステップ２００の実現方式１：通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信する。
【００７２】
上記ステップ２００の実現方式１に基づいて、受信したパイロット設定シグナリングが第１パイロット設定シグナリングであるか第２パイロット設定シグナリングであるかを識別するために、選択可能な実現方式として、第２パイロット設定シグナリングには、特殊ダウンリンクサブフレームで伝送されるパイロットの設定情報に対応するパイロットを特殊ダウンリンクサブフレームで伝送することを指示するための指示情報がさらに付随されている。第１パイロット設定シグナリングには、通常ダウンリンクサブフレームで伝送されるパイロットの設定情報に対応するパイロットを通常ダウンリンクサブフレームで伝送することを指示するための指示情報がさらに付随されている。それに対応して、第１パイロット設定シグナリングとは異なる第２パイロット設定シグナリングを受信することは、具体的に、パイロット設定シグナリングを受信することと、受信したパイロット設定シグナリングに付随されている指示情報に基づいて、当該パイロット設定シグナリングが第１パイロット設定シグナリングとは異なる第２パイロット設定シグナリングであると確定することとを含む。
【００７３】
なお、受信したパイロット設定シグナリングが第１パイロット設定シグナリングであるか第２パイロット設定シグナリングであるかの端末による識別は、他の方式で実現されてもよく、本開示ではこれについて限定しない。
【００７４】
ステップ２００の実現方式２：第３パイロット設定シグナリングを受信することである。第３パイロット設定シグナリングには、自端末に対し確定するパイロットの設定情報が付随されている。自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの通常ダウンリンクサブフレームで伝送されないことを指示する第２設定情報を含む。なお、自端末に対し確定するパイロットの設定情報は、第３設定情報を含んでもよい。すなわち、第１設定情報、第２設定情報、第３設定情報のいずれも、前記第３パイロット設定シグナリングで伝送される。第３パイロット設定シグナリングは、通常ダウンリンクサブフレームで前記パイロットを伝送し、特殊ダウンリンクサブフレームで前記パイロットを伝送しないことを指示する。
【００７５】
上記ステップ２００の実現方式に基づいて、選択可能に、上記ステップ２１０の実現方式として、第１設定情報である場合、当該第１設定情報に付随されているパイロットのインデックスに対応する、特殊ダウンリンクサブフレームでパイロットを伝送するためのリソースエレメントを検索する。検索できなければ、当該第１設定情報を無効と確定する。または、通常ダウンリンクサブフレームで伝送されるパイロットの設定を有効、特殊ダウンリンクサブフレームで伝送されるパイロットの設定を無効と確定する。第２設定情報である場合、当該第２設定情報に付随されているパイロットのインデックスに対応する、特殊ダウンリンクサブフレームでパイロットを伝送するためのリソースエレメントを検索する。検索できなければ、第２設定情報を無効と確定する。
【００７６】
以下、ＣＳＩ−ＲＳの設定を例として、本開示の実施例による技術手段を詳細に説明する。
【００７７】
少なくとも１つの実施例において、通常ダウンリンクサブフレームで伝送される２ポートＣＳＩ−ＲＳのパイロットパターンを図３ａに、４ポートＣＳＩ−ＲＳのパイロットパターンを図３ｂに、８ポートＣＳＩ−ＲＳのパイロットパターンを図３ｃに示す。ＣＳＩ−ＲＳのインデックスとリソースエレメントとの対応関係は、表１に示される。
【００７８】
【表１】
0006598989.tif 000002
【００７９】
ここで、ｎｓｍｏｄ２が０であることは、パイロットパターンの１つ目のタイムスロットを示し、ｎｓｍｏｄ２が１であることは、パイロットパターンの２つ目のタイムスロットを示す。ｋ´の値は、パイロットパターンのｋ´行目を示し、ｌ´の値は、パイロットパターンの対応タイムスロットのｌ´列目を示す。例えば、ｎｓｍｏｄ２＝０、ｋ´＝９、ｌ´＝５の場合、９行目、ｌつ目タイムスロットの５列目に対応するリソースエレメントを示す。
【００８０】
ここで、ＣＳＩ−ＲＳインデックス０〜１９は、フレーム構造１と２の両方に適用するが、ＣＳＩ−ＲＳインデックス２０〜３１は、フレーム構造２のみに適用する。
【００８１】
本実施例において、ＤｗＰＴＳの長さが１１、１２個のシンボルである場合、ＤｗＰＴＳで伝送される２ポートＣＳＩ−ＲＳのパイロットパターンは、図４に示され、ＣＳＩ−ＲＳのインデックスとリソースエレメントとの対応関係は、表２に示される。ＤｗＰＴＳの長さが９、１０個のシンボルである場合、ＤｗＰＴＳで伝送される２ポートＣＳＩ−ＲＳのパイロットパターンは、図５に示され、ＣＳＩ−ＲＳのインデックスとリソースエレメントとの対応関係は、表３に示される。
【００８２】
【表２】
0006598989.tif 000003
【００８３】
【表３】
0006598989.tif 000004
【００８４】
上記の表およびパイロットパターンに基づいて、基地局は、特殊ダウンリンクサブフレームで伝送されるＣＳＩ−ＲＳの設定情報を端末に対し確定し、通常ダウンリンクサブフレームで伝送されるＣＳＩ−ＲＳの設定情報を端末に対し確定する。
【００８５】
ここで、確定される設定情報は、ＣＳＩ−ＲＳのインデックス、ポート、伝送周期、サブフレームオフセットを含む。
【００８６】
当該実施例において、端末に対し確定する、特殊ダウンリンクサブフレームで伝送されるＣＳＩ−ＲＳのインデックス、ポート、伝送周期、サブフレームオフセットは、当該端末に対し確定する、通常ダウンリンクサブフレームで伝送されるＣＳＩ−ＲＳのインデックス、ポート、伝送周期、サブフレームオフセットとは、いずれも同一である。なお、実際の応用において、異なってもよい。
【００８７】
基地局は、通常ダウンリンクサブフレームで伝送されるパイロットの設定情報が付随されている第１パイロット設定シグナリングと、前記特殊ダウンリンクサブフレームで伝送されるパイロットの設定情報が付随されている第２パイロット設定シグナリングをそれぞれ端末に送信する。
【００８８】
端末は、第１パイロット設定シグナリングと第２パイロット設定シグナリングを受信する。
【００８９】
端末は、第１パイロット設定シグナリングに付随されているＣＳＩ−ＲＳのインデックスとポートに基づいて表１を検索し、通常ダウンリンクサブフレームで伝送されるＣＳＩ−ＲＳが占用するリソースエレメントを確定する。例えば、ＣＳＩ−ＲＳインデックス０、ポート２の場合、表１から、通常ダウンリンクサブフレームで伝送されるＣＳＩ−ＲＳは、通常ダウンリンクサブフレームの９個目のサブキャリア、ｌつ目タイムスロットの５、６個目のシンボルのリソースエレメントを占用すると確定する。また、端末は、さらに第１パイロット設定シグナリングに付随されているほかの設定情報に基づいて、通常ダウンリンクサブフレームで伝送されるＣＳＩ−ＲＳの伝送周期とサブフレームオフセットを確定する。
【００９０】
ＤｗＰＴＳの長さが１１、１２であると、端末は、第２パイロット設定シグナリングに付随されているＣＳＩ−ＲＳのインデックスとポートに基づいて表２を検索し、ＤｗＰＴＳで伝送されるＣＳＩ−ＲＳが占用するリソースエレメントを確定する。例えば、ＣＳＩ−ＲＳインデックス０、ポート２の場合、表２から、ＤｗＰＴＳで伝送されるＣＳＩ−ＲＳは、ＤｗＰＴＳの９個目のサブキャリア、ｌつ目タイムスロットの２、３個目のシンボルのリソースエレメントを占用すると確定する。また、端末は、さらに第２パイロット設定シグナリングに付随されているほかの設定情報に基づいて、ＤｗＰＴＳで伝送されるＣＳＩ−ＲＳの伝送周期とサブフレームオフセットを確定する。
【００９１】
上記表１〜３を参照して記載した少なくとも１つの実施例において、ポート数２、４、８を例として説明した。なお、ポート数がもっと多い場合でも、同様に適用する。
【００９２】
また、上記表１〜３を参照して記載した少なくとも１つの実施例において、基地局は、端末に対し、通常ダウンリンクサブフレームで伝送されるＣＳＩ−ＲＳおよびＤｗＰＴＳで伝送されるＣＳＩ−ＲＳを設定する。しかし、実際の応用プロセスにおいて、ＤｗＰＴＳで伝送されるＣＳＩ−ＲＳのみを端末に対し設定してもよい。その実現方式は、上記の実施例の記載を参照されたく、ここでは繰り返して記載しない。
【００９３】
少なくとも１つの実施例において、通常ダウンリンクサブフレームで伝送される２ポートＣＳＩ−ＲＳのパイロットパターンを図３ａに、４ポートＣＳＩ−ＲＳのパイロットパターンを図３ｂに、８ポートＣＳＩ−ＲＳのパイロットパターンを図３ｃに示す。
【００９４】
２ポートＣＳＩ−ＲＳを例とし、ＤｗＰＴＳの長さが１１、１２個のシンボルであると、ＤｗＰＴＳで伝送される２ポートＣＳＩ−ＲＳのパイロットパターンは、図４に示され、ＣＳＩ−ＲＳのインデックスとリソースエレメントとの対応関係は、表４に示される。ＤｗＰＴＳの長さが９、１０個のシンボルであると、ＤｗＰＴＳで伝送される２ポートＣＳＩ−ＲＳのパイロットパターンは、図５に示され、ＣＳＩ−ＲＳのインデックスとリソースエレメントとの対応関係は、表５に示される。なお、４ポート、８ポートのＣＳＩ−ＲＳについて、そのインデックスとリソースエレメントとの対応関係は、上記表１、表２、表３を参照されたい。
【００９５】
【表４】
0006598989.tif 000005
【００９６】
【表５】
0006598989.tif 000006
【００９７】
基地局は、端末に対しＣＳＩ−ＲＳの設定情報を確定し、具体的にＣＳＩ−ＲＳのインデックス、ポート、伝送周期およびサブフレームオフセットを確定し、確定した設定情報を第３パイロット設定シグナリングで当該端末に送信する。
【００９８】
端末は、第３パイロット設定シグナリングを受信し、ＣＳＩ−ＲＳの伝送周期とサブフレームオフセットに基づいて、ＣＳＩ−ＲＳを、通常ダウンリンクサブフレームとＤｗＰＴＳの両方で伝送するか、通常ダウンリンクサブフレームのみまたはＤｗＰＴＳのみで伝送するかを確定する。
【００９９】
ＣＳＩ−ＲＳが通常ダウンリンクサブフレームとＤｗＰＴＳの両方で伝送されることが確定されると、ＣＳＩ−ＲＳのインデックスとポートに基づいて、通常ダウンリンクサブフレームとＤｗＰＴＳのそれぞれにおいてＣＳＩ−ＲＳに対応するリソースエレメントを確定する。表４のＣＳＩ−ＲＳポート数１、２を例とし、端末が受信したＣＳＩ−ＲＳのインデックスが「０」であると、ＤｗＰＴＳにとって、当該ＣＳＩ−ＲＳのＲＥ位置（ｋ´，ｌ´）は、（９，２）であり、通常ダウンリンクサブフレームにとって、ＣＳＩ−ＲＳインデックス「０」に対応するＲＥ位置（ｋ´，ｌ´）は、（９，５）である。
【０１００】
ＣＳＩ−ＲＳを通常ダウンリンクサブフレームのみで伝送すると確定すると、その実現方式は、従来技術の方式とは同一であり、ここでは繰り返して記載しない。
【０１０１】
ＣＳＩ−ＲＳをＤｗＰＴＳのみで伝送すると確定すると、ＣＳＩ−ＲＳのインデックスとポートに基づいて、ＤｗＰＴＳにおいてＣＳＩ−ＲＳに対応するリソースエレメントを確定する。表５のＣＳＩ−ＲＳポート数１、２を例とし、端末が受信したＣＳＩ−ＲＳのインデックスが「０」であると、ＤｗＰＴＳにとって、当該ＣＳＩ−ＲＳのＲＥ位置（ｋ´，ｌ´）は、（９，２）である。
【０１０２】
表４と表５によると、ＤｗＰＴＳの長さが短い場合にＣＳＩ−ＲＳの数も対応的に少ないことが分かるため、一部のＣＳＩ−ＲＳ設定インデックスのみが有効である。例えば、ＣＳＩ−ＲＳポート数１、２の場合に、有効設定インデックスは、０、４、５、９、１０、１１、１８、１９である。４ポートＣＳＩ−ＲＳに関し有効ＣＳＩ−ＲＳ設定インデックスは、０、４、５、９であり、８ポートＣＳＩ−ＲＳに関し有効ＣＳＩ−ＲＳ設定インデックスは、０、４である。本実施例において、ＤｗＰＴＳでの有効ＣＳＩ−ＲＳインデックスは、通常ダウンリンクサブフレームより少なく、基地局から端末に対しＣＳＩ−ＲＳを設定する際に以下のケースが生じる。
ａ）基地局から設定されたＣＳＩ−ＲＳ周期とサブフレームオフセットでは、ＣＳＩ−ＲＳは、通常ダウンリンクサブフレームのみに現れる。この場合、端末の挙動は、早期バージョンの端末とは同一である。
ｂ）基地局から設定されたＣＳＩ−ＲＳ周期とサブフレームオフセットでは、ＣＳＩ−ＲＳは、ＤｗＰＴＳのみに現れる。この場合、ＣＳＩ−ＲＳインデックスが無効であれば（例えば、ＣＳＩ−ＲＳポート数１、２の場合に設定インデックスが「１」である。）、端末は、設定ミスとみなす。
ｃ）基地局から設定されたＣＳＩ−ＲＳ周期とサブフレームオフセットでは、ＣＳＩ−ＲＳは、通常ダウンリンクサブフレームとＤｗＰＴＳの両方で現れる。この場合、ＤｗＰＴＳでＣＳＩ−ＲＳインデックスが無効であれば（例えば、ＣＳＩ−ＲＳポート数１、２の場合に設定インデックスが「１」である。）、端末は、この設定について、完全ミスまたは通常ダウンリンクサブフレームに現れるＣＳＩ−ＲＳが有効であるとみなす。
【０１０３】
方法と同様の発明思想に基づいて、本開示の実施例は、図６に示すように、特殊ダウンリンクサブフレームで伝送されるパイロットの設定情報を端末に対し確定するためのパイロット設定確定モジュール６０１と、前記設定情報を前記端末に送信するための設定情報送信モジュール６０２とを含むパイロット設定装置を提供する。
【０１０４】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【０１０５】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【０１０６】
上記いずれの装置実施例に基づいて、選択可能に、一態様として、前記設定情報送信モジュールは、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信するために用いられる。
【０１０７】
選択可能に、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【０１０８】
選択可能に、別の態様として、前記パイロット設定確定モジュールは、前記パイロットが通常ダウンリンクサブフレームと特殊ダウンリンクサブフレームの両方で伝送されることを指示するパイロットの第１設定情報を端末に対し確定すること、または、前記パイロットが特殊ダウンリンクサブフレームで伝送されるものの、通常ダウンリンクサブフレームで伝送されないことを指示するパイロットの第２設定情報を端末に対し確定するために用いられる。
【０１０９】
選択可能に、前記設定情報送信モジュールは、第１設定情報または第２設定情報を含む端末に対し確定する設定情報が付随されている第３パイロット設定シグナリングを前記端末に送信するために用いられる。
【０１１０】
方法と同様の発明思想に基づいて、本開示の実施例は、図７に示すように、プロセッサ７００と、プロセッサ７００による操作実行に用いられるデータを格納するためのメモリ７２０と、プロセッサ７００による制御でデータを送受信するためのトランシーバ７１０とを含む基地局を提供し、プロセッサ７００が、メモリ７２０からプログラムを読み取って、特殊ダウンリンクサブフレームで伝送されるパイロットの設定情報を端末に対し確定するプロセスと、トランシーバ７１０を介して前記設定情報を前記端末に送信するプロセスとを実行する。
【０１１１】
ここで、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。プロセッサ７００は、バスアーキテクチャと通常の処理を管理する。メモリ７２０は、プロセッサ７００による操作実行に使用されるデータを格納できる。
【０１１２】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【０１１３】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【０１１４】
上記いずれの基地局の実施例に基づいて、選択可能に、一態様として、プロセッサが、メモリからプログラムを読み取って、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを前記端末に送信するプロセスを実行する。
【０１１５】
選択可能に、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【０１１６】
選択可能に、別の態様として、プロセッサが、メモリからプログラムを読み取って、前記パイロットが通常ダウンリンクサブフレームと特殊ダウンリンクサブフレームの両方で伝送されることを指示するパイロットの第１設定情報を端末に対し確定するプロセス、または、前記パイロットが特殊ダウンリンクサブフレームで伝送されるものの、通常ダウンリンクサブフレームで伝送されないことを指示するパイロットの第２設定情報を端末に対し確定するプロセスを実行する。
【０１１７】
選択可能に、プロセッサが、メモリからプログラムを読み取って、第３パイロット設定シグナリングを前記端末に送信するプロセスを実行する。前記第３パイロット設定シグナリングには、端末に対し確定する設定情報が付随されている。前記端末に対し確定する設定情報は、第１設定情報または第２設定情報を含む。
【０１１８】
方法と同様の発明思想に基づいて、本開示の実施例は、図８に示すように、パイロットの設定情報を受信するための設定情報受信モジュール８０１と、前記設定情報に基づいて、特殊ダウンリンクサブフレームで伝送されるパイロットの設定を確定するためのパイロット設定確定モジュール８０２とを含むパイロット設定装置を提供する。
【０１１９】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【０１２０】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【０１２１】
上記いずれの装置実施例に基づいて、一態様として、選択可能に、前記設定情報受信モジュールは、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信するために用いられる。
【０１２２】
選択可能に、前記設定情報受信モジュールは、パイロット設定シグナリングを受信することと、受信したパイロット設定シグナリングに付随されている指示情報に基づいて、前記パイロット設定シグナリングが第１パイロット設定シグナリングとは異なる第２パイロット設定シグナリングであると確定するために用いられる。ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【０１２３】
別の態様として、選択可能に、前記設定情報受信モジュールは、自端末に対し確定するパイロットの設定情報が付随されている第３パイロット設定シグナリングを受信するために用いられる。前記自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの、通常ダウンリンクサブフレームで伝送されないことを指示する第２設定情報を含む。
【０１２４】
選択可能に、前記パイロット設定確定モジュールは、第１設定情報である場合、前記第１設定情報に付随されているパイロットのインデックスに対応する、特殊ダウンリンクサブフレームでパイロットを伝送するためのリソースエレメントを検索し、検索できなければ、前記第１設定情報を無効と確定する。または、通常ダウンリンクサブフレームで伝送されるパイロットの設定を有効、特殊ダウンリンクサブフレームで伝送されるパイロットの設定を無効と確定すること、および、第２設定情報である場合、前記第２設定情報に付随されているパイロットのインデックスに対応する、特殊ダウンリンクサブフレームでパイロットを伝送するためのリソースエレメントを検索し、検索できなければ、前記第２設定情報を無効と確定するために用いられる。
【０１２５】
方法と同様の発明思想に基づいて、本開示の実施例は、図９に示すように、プロセッサ９００と、プロセッサ９００による操作実行に用いられるデータを格納するためのメモリ９２０と、プロセッサ９００による制御でデータを送受信するためのトランシーバ９１０とを含む端末を提供し、プロセッサ９００が、メモリ９２０からプログラムを読み取って、トランシーバ９１０を介してパイロットの設定情報を受信するプロセスと、前記設定情報に基づいて、特殊ダウンリンクサブフレームで伝送されるパイロットの設定を確定するプロセスとを実行する。
【０１２６】
ここで、図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。ユーザ端末によっては、ユーザインタフェース９３０は、必要機器を内部接続や外部接続するためのインタフェースであってもよい。接続する機器は、キーパッド、ディスプレイ、スピーカ、マイクロフォン、ジョイスティックなどを含むが、それらに限られない。
【０１２７】
プロセッサ９００は、バスアーキテクチャと通常の処理を管理する。メモリ９２０は、プロセッサ９００による作業時に使用されるデータを格納できる。
【０１２８】
本開示の実施例の技術手段によれば、特殊ダウンリンクサブフレームでパイロットを伝送する設定を実現し、さらに特殊ダウンリンクサブフレームでダウンリンクパイロットを伝送することができ、パイロット設定がより多くのニーズに応えることができる。
【０１２９】
選択可能に、前記パイロットの設定情報は、前記パイロットのインデックスを含む。すべてまたは一部のパイロットのインデックスのうち、各パイロットのインデックスは、特殊ダウンリンクサブフレームでパイロットを伝送するための１組のリソースエレメントにそれぞれ対応する。各パイロットのインデックスに対応するリソースエレメントは、それぞれ異なる。
【０１３０】
上記いずれの端末の実施例において、一態様として、選択可能に、プロセッサが、メモリからプログラムを読み取って、通常ダウンリンクサブフレームで伝送されるパイロットの設定情報が付随されている第１パイロット設定シグナリングとは異なり、前記特殊ダウンリンクサブフレームで伝送されるパイロットの設定情報が付随されている第２パイロット設定シグナリングを受信するプロセスを実行する。
【０１３１】
選択可能に、プロセッサが、メモリからプログラムを読み取って、パイロット設定シグナリングを受信するプロセスと、受信したパイロット設定シグナリングに付随されている指示情報に基づいて、前記パイロット設定シグナリングが第１パイロット設定シグナリングとは異なる第２パイロット設定シグナリングであると確定するプロセスを実行する。ここで、前記第２パイロット設定シグナリングには、前記特殊ダウンリンクサブフレームで伝送されるパイロットの設定情報に対応するパイロットを特殊ダウンリンクサブフレームで伝送することを指示するための指示情報がさらに付随されている。前記第１パイロット設定シグナリングには、前記通常ダウンリンクサブフレームで伝送されるパイロットの設定情報に対応するパイロットを通常ダウンリンクサブフレームで伝送することを指示するための指示情報がさらに付随されている。
【０１３２】
別の態様として、選択可能に、プロセッサが、メモリからプログラムを読み取って、自端末に対し確定するパイロットの設定情報が付随されている第３パイロット設定シグナリングを受信するプロセスを実行する。前記自端末に対し確定するパイロットの設定情報は、前記パイロットが通常ダウンリンクサブフレームと特殊ダウンリンクサブフレームの両方で伝送されることを指示する第１設定情報、または、前記パイロットが特殊ダウンリンクサブフレームで伝送されるものの、通常ダウンリンクサブフレームで伝送されないことを指示する第２設定情報を含む。
【０１３３】
選択可能に、プロセッサが、メモリからプログラムを読み取って、第１設定情報である場合、前記第１設定情報に付随されているパイロットのインデックスに対応する、特殊ダウンリンクサブフレームでパイロットを伝送するためのリソースエレメントを検索し、検索できなければ、前記第１設定情報を無効と確定する。または、通常ダウンリンクサブフレームで伝送されるパイロットの設定を有効、特殊ダウンリンクサブフレームで伝送されるパイロットの設定を無効と確定するプロセス、および、第２設定情報である場合、前記第２設定情報に付随されているパイロットのインデックスに対応する、特殊ダウンリンクサブフレームでパイロットを伝送するためのリソースエレメントを検索し、検索できなければ、前記第２設定情報を無効と確定するプロセスを実行する。
【０１３４】
本開示の実施例は、方法、システム、またはコンピュータプログラムプロダクトとして提供されうると当業者が理解できる。従って、本開示は、完全にハードウェアの実施例、完全にソフトウェアの実施例、またはソフトウェアとハードウェアを組み合わせた実施例の形態を取り得る。しかも、本開示は、コンピュータ利用可能なプログラムコードを含む１つまたは複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を取り得る。
【０１３５】
本開示は、本開示の実施例による方法、デバイス（システム）およびコンピュータプログラムプロダクトのフロー図および／またはブロック図を参照にして記載されている。フロー図および／またはブロック図における各フローおよび／またはブロック、およびフロー図および／またはブロック図におけるフローおよび／またはブロックの組み合わせは、コンピュータプログラムコマンドにより実現されうると理解されるべきである。これらのコンピュータプログラムコマンドを汎用コンピュータ、専用コンピュータ、嵌め込み式プロセッサまたは他のプログラマブルデータ処理デバイスのプロセッサに提供して１つの機器を形成し、コンピュータまたは他のプログラマブルデータ処理デバイスのプロセッサにより実行される指令により、フロー図の１つまたは複数のフローおよび／またはブロック図の１つまたは複数のブロックで指定される機能を実現するための装置を形成する。
【０１３６】
これらのコンピュータプログラムコマンドは、コンピュータまたは他のプログラマブルデータ処理デバイスに特定の方式で動作させることを導けるコンピュータ読み出し可能なメモリに格納されてもよく、上記コンピュータ読み出し可能なメモリに格納されるコマンドにより、コマンド装置を含むプロダクトを形成する。上記コマンド装置は、フロー図の１つまたは複数のフローおよび／またはブロック図の１つまたは複数のブロックで指定される機能を実現する。
【０１３７】
これらのコンピュータプログラムコマンドは、コンピュータまたは他のプログラマブルデータ処理デバイスにロードされてもよく、コンピュータまたは他のプログラマブルデータ処理デバイスで一連の操作工程を実行することにより、コンピュータで実現される処理を形成し、コンピュータまたは他のプログラマブルデータ処理デバイスで実行されるコマンドにより、フロー図の１つまたは複数のフローおよび／またはブロック図の１つまたは複数のブロックで指定される機能を実現するためのステップを提供する。
【０１３８】
本開示の好適な実施例を記載したが、当業者は、基本的な創造性概念を一度知ると、これらの実施例に対し別の変更や修正をすることができる。従って、添付の特許請求の範囲は、好適な実施例及び本開示の範囲に入る全ての変更や修正を含むことを意図する。
【０１３９】
明らかに、当業者は、本開示の精神や範囲を逸脱せずに、本開示に対して様々な変更や変形をすることができる。このように、本開示のこれらの修正や変形が本開示の請求項およびその同等の技術範囲に含まれるものであれば、本開示は、これらの変更や変形を含むことを意図する。
【図１】
0006598989.tif 000007
【図２】
0006598989.tif 000008
【図３ａ】
0006598989.tif 000009
【図３ｂ】
0006598989.tif 000010
【図３ｃ】
0006598989.tif 000011
【図４】
0006598989.tif 000012
【図５】
0006598989.tif 000013
【図６】
0006598989.tif 000014
【図７】
0006598989.tif 000015
【図８】
0006598989.tif 000016
【図９】
0006598989.tif 000017